(57)【要約】【課題】  室内からの施工が容易であって、水密的にすぐれたユニットバスを提供すること。【解決手段】  ユニットバスは、架台に設置した防水パンの周縁上に、隣接して配置された複数の壁パネルと、間隔をあけて設置された複数の支柱部が立設されている。隣接する壁パネル１Ａ、１Ｂを連結する支柱部３は、支柱本体３１と壁パネル固定部材３２とから構成され、支柱本体３１の開口部を形成する開口端部の内側に被係止部が設けられ、壁パネル固定部材３２は平坦面と係止部面をクランク状に配置し、平坦面には壁パネル１Ａ，１Ｂをネジ止めし、係止部面を被係止部と係合させる。壁パネル１Ａと１Ｂの間の隙間にはシール部材３３を圧入する。【選択図】  図７
2015113612.tif 000002
【特許請求の範囲】
【請求項１】
架台に設置した防水パンの周縁上に、隣接して配置される複数の壁パネルと、隣接する壁パネルを連結する複数の支柱部からなるユニットバスであって、
前記支柱部は、支柱本体と壁パネル固定部材とから構成され、
前記支柱本体の開口部を形成する開口端部の内側に被係止部が設けられ、
壁パネル固定部材は平坦面と係止部面をクランク状に配置し、前記平坦面には壁パネルをネジ止めし、前記係止部面を前記被係止部と係合させることを特徴とするユニットバス。
【請求項２】
前記支柱本体は室内側から圧入されたシール部材の挿入部を収容するための溝部を備え、該シール部材は、該挿入部と、壁パネルの側端部からの水漏れを防止するパネル当接部を備えることを特徴とする請求項１に記載のユニットバス。
【請求項３】
前記壁パネルの上端部は長手方向にわたって嵌合凹部を形成し、下端部は長手方向にわたって嵌合凸部を形成し、壁が複数の上下にわたる壁パネルから構成される場合には、直上の壁パネルの嵌合凸部と直下の壁パネルの嵌合凹部とを嵌合させることを特徴とする請求項１に記載のユニットバス。
【請求項４】
前記壁パネルの下端部は長手方向にわたって嵌合凸部を形成し、
防水パンの洗い場側の区画の周縁部に見切りを形成し、該見切り全周の上面に凹溝部を形成するとともに、防水パンの浴槽載置部側の周縁部に凹溝部を形成し、
前記洗い場側および前記浴槽載置部側のそれぞれの周縁部に設けられた凹溝部に前記壁パネルの嵌合凸部を嵌め込むことを特徴とする請求項１に記載のユニットバス。
【発明の詳細な説明】
【技術分野】
【０００１】
室内からの施工が容易であって、水密的にすぐれたユニットバスに関する。
【背景技術】
【０００２】
工場でひととおり製造し、現場では組み立てるだけであるため工期の大幅な短縮が図れるユニットバスは、ホテルなどの公共的施設だけでなく一般家庭においての需要も増加している。また、住宅のリフォームに際して、従来のバスを撤去してユニットバスを施工することも増えている。リフォームは新築とは異なり、その場合は既に居住者がいるのでできるだけ短時日に入浴設備が設置されることが望まれる。そのためには、設置が容易でなければならない。熟練の作業員が不足していても、非熟練のアルバイトで作業をこなしていけるからである。
【０００３】
ユニットバスの組立てにおいて手間がかかるのは壁パネルを取り付けることである。
ユニットバスの組み立て作業は、建築物の中で予め浴室として区画されたスペース内で行われるので、区画を形成する構造体（つまりユニットバスを設置する部屋）と、そのユニットバスの壁パネルとの間には、極めて狭い空間しか確保できない。そのため、組み立てが容易で、迅速に行えるようにするための発明・考案が種々特許出願・実用新案登録出願されている。
これら先行出願のひとつである特許文献１には、壁パネルを支柱部材に対して従来と同程度の作業負荷で嵌合させることができ、且つ不意に壁パネルの嵌合が外れることのない嵌合力の高い「ユニットバス」が開示されている。
【０００４】
言うまでも無く、ユニットバスの設置に際し、重要なことは上記のような施工の容易さだけではない。壁パネルのつなぎ目の箇所から水が漏れ出したり、防水パンを伝った水が壁パネルやドア枠の下部から外部に流出することを防止しなければならない。
この点、特許文献２には、防水パンを動かすことなく壁パネルの設置位置の調整をすることができ、またドアパネルの取付位置を自在に決めることができ、更にドアパネルおよび壁パネルの下端部に水のかからないように設置する「ユニットバスルームとその施工方法」が開示されている。
【先行技術文献】
【特許文献】
【０００５】
【特許文献１】特開２０１１−１８５０２０号公報
【特許文献２】特開２００１−３４２４号公報
【発明の概要】
【発明が解決しようとする課題】
【０００６】
特許文献１に記載の発明は、不意に壁パネルが外れたりしないというユニットバスに要求される必須の条件を満たしている。しかしながら、特許文献１に開示されたユニットバスで使用される壁パネルは、板状の鋼板パネルと、この鋼板パネルの裏面側に裏打ちされた石膏ボードとから構成されている。しかも鋼板パネルの両側端部は、裏側に折り返されて支柱と嵌合するための凸状になっている（項目００１９、図４など）。石膏ボードは重量があり、作業者にとって運搬時や組立作業時の負担となる。また、石膏ボードに鋼板パネルを裏打ちしていることから、壁パネル製造の手間もコストもかかる。さらに、石膏ボードが破損したときなど、鋼板パネルには異常がなくても鋼板パネルごと取り替えなくてはならない。
【０００７】
特許文献２に記載の発明は、パネルスペーサー載置部の幅を広くとって、壁パネルを前後に移動して内法寸法の調整ができるようにしたことを特徴とするものである。この発明では、ドアパネルと壁パネルの下端部から水が漏れ出ることを防止するために、防水パンの四周に設けたパネルスペーサー（見切り材）の凹溝部全周にガスケットを嵌め込んでいる。このガスケットが、パネルスペーサーとその上に取り付けられたドアパネルのドア枠および壁パネルの下端部との隙間を密閉する役割を果たす。しかしながら、ドア枠と壁パネルの下端部を凸形状とし、パネルスペーサー（見切り材）の凹溝部に嵌め込むようにすれば、別途シール材は不要となるはずである。これならば、凹溝部全周にガスケットを嵌め込む場合に比べ、製造の手間もコストも削減できる。
【０００８】
このような従来のユニットバスの問題点に鑑み、本発明では、防水パンの４隅に立設した支柱に壁パネルを固定させる構造を工夫することで、迅速に且つ容易に作業ができることを目的とする。また、簡単な構造で水密性を高めることを目的とする。
【課題を解決するための手段】
【０００９】
上記の目的を達成するために、請求項１に係る発明は、
架台に設置した防水パンの周縁上に、隣接して配置される複数の壁パネルと、隣接する壁パネルを連結する複数の支柱部からなるユニットバスであって、
前記支柱部は、支柱本体と壁パネル固定部材とから構成され、
前記支柱本体の開口部を形成する開口端部の内側に被係止部が設けられ、
壁パネル固定部材は平坦面と係止部面をクランク状に配置し、前記平坦面には壁パネルをネジ止めし、前記係止部面を前記被係止部と係合させることを特徴とする。
これにより広い作業空間が確保できるので、ユニットバスの室内側からの壁パネルの設置が容易に行える。その結果、作業が短縮される。
また、壁パネルは支柱部にネジ止め等で取り付けることができるので、壁パネル自体に支柱部に嵌合させるための部材を設ける必要はなく、例えばＦＲＰ単一材料の一体構造の板でもよい。その結果、製造の手間とコストを節減できる。
【００１０】
上記の目的を達成するために、請求項２に係る発明は、請求項１に記載のユニットバスであって、
前記支柱本体は室内側から圧入されたシール部材の挿入部を収容するための溝部を備え、該シール部材は、該挿入部と、壁パネルの側端部からの水漏れを防止するパネル当接部を備えることを特徴とする。
これにより、水密性が高まり、カビの発生などを防止できる。
【００１１】
上記の目的を達成するために、請求項３に係る発明は、請求項１に記載のユニットバスであって、
前記壁パネルの上端部は長手方向にわたって嵌合凹部を形成し、下端部は長手方向にわたって嵌合凸部を形成し、壁が複数の上下にわたる壁パネルから構成される場合には、直上の壁パネルの嵌合凸部と直下の壁パネルの嵌合凹部とを嵌合させることを特徴とする。
これにより、天井から防水パンの床までを複数の壁パネルを上下につないで壁を構成する場合、壁パネルと壁パネルとの間から水分が外部に漏れ出すことを防止できる。
【００１２】
上記の目的を達成するために、請求項４に係る発明は、請求項１に記載のユニットバスであって、
前記壁パネルの下端部は長手方向にわたって嵌合凸部を形成し、
防水パンの洗い場側の区画の周縁部に見切りを形成し、該見切り全周の上面に凹溝部を形成するとともに、防水パンの浴槽載置部側の周縁部に凹溝部を形成し、
前記洗い場側および前記浴槽載置部側のそれぞれの周縁部に設けられた凹溝部に前記壁パネルの嵌合凸部を嵌め込むことを特徴とする。
これにより、壁パネルの下端部からユニットバスの外部へ水分が漏れ出すことを防止できる。
【発明の効果】
【００１３】
非熟練者であっても、壁パネルを容易に且つ確実に支柱部に固定させて取り付けることができ、且つ作業空間が広く取れる室内側から作業ができるので、新築工事或はリフォーム作業の工期を短縮できる。
壁パネルが隣接する支柱部の箇所、壁パネル同士が上下に繋ぎ合わされる箇所、および壁パネルの下端部と見切りとの間の箇所から水が漏れ出ないように水密性が確保されているので、カビや悪臭の発生を抑制できる。
【図面の簡単な説明】
【００１４】
【図１】実施の形態のユニットバスを外部から見た斜視図である。
【図２】実施の形態に係るユニットバスの平面図である。
【図３】実施の形態の見切りの（ａ）平面図と（ｂ）縦断面図である。
【図４】実施の形態の壁パネルの側面図である。
【図５】実施の形態の壁パネルが上下段に分割して配設された場合の、結合を示す模式図である。
【図６】実施の形態の壁パネルの下端部が（ａ）見切りの凹溝部に嵌合している状態と（ｂ）浴槽側の防水パンの下部と嵌合している状態を示す模式図である。
【図７】図２の一点差線内の部分の水平方向断面図である。
【図８】実施の形態の支柱本体の水平方向断面図である。
【図９】実施の形態の壁パネル固定部材の水平方向断面図である。
【図１０】実施の形態のシール部材の水平方向断面図である。
【発明を実施するための形態】
【００１５】
図面を参照しながら、本発明の実施形態にかかるユニットバスＵＢについて説明する。
以下の説明において、「室内」とはユニットバスＵＢの内部をいう。
【００１６】
図１は、本実施形態にかかるユニットバスＵＢを外部から見た斜視図である。
ユニットバスＵＢは、建物床Ｆ上に据え付けられる架台Ａと、この架台Ａの上に載置され、周縁部に壁パネル１が立設される防水パン２と、金具などの取付部材を介して防水パン２に固定され壁パネル１を支持する支柱部３とを備える。架台Ａは、ユニットバスＵＢを構成する構造体の最下部で、防水パン２、壁パネル１、支柱部３、天井パネルＢ、浴槽Ｃ等の重みを受け止める土台として機能する。
【００１７】
図２の平面図に示すように、ユニットバスＵＢは、浴槽Ｃを設置する浴槽設置部２１と、洗い場２２とからなる防水パン２と、複数枚の壁パネル１と、複数の支柱部３と備え、防水パン２は架台Ａの上に載置される。
防水パン２は、底が浅い器状を呈し、その底面部には排水孔４が形成されている。防水パン２の底面の表面部は、周縁部から排水孔４に向けて下向きに傾斜しており、排水は排水孔４から排水トラップ（図示せず）に導かれて室外に排水される。
【００１８】
図３の（ａ）に示すように、防水パン２の洗い場２２側の周縁部には見切り２３が形成されている。図３（ａ）の斜線を付した部分は、見切り２３上面の長手方向に沿って形成した凹溝部２３ａである。図３（ｂ）は、長手方向に垂直な縦断面図である。
見切り２３の上面位置は、防水パン２の底面よりも上方として水がかかりにくくする。
なお、凹溝部２３ａと同様の凹溝部２１ａが、防水パン２の浴槽載置部２１側の周縁部に予め設けられている。
【００１９】
浴槽Ｃ及び洗い場２２の周囲の壁は、薄い板状の壁パネル１を複数配列して構築される。図４は壁パネル１の側面図である。壁パネル１の上端部は略台形状にくぼんだ溝（嵌合凹部１１）が形成され、下端部は略台形状の突起部（嵌合凸部１２）が形成されている。
壁は複数の壁パネル１を上下に配設して構成されることが多い。この場合、図５に示すように上段に配設される壁パネル１ａの嵌合凸部１２ａが、その直下に配設される壁パネル１ｂの嵌合凹部１１ｂに嵌め込まれる。
なお、上段の壁パネル１ａと下段の壁パネル１ｂとの間には、断面が例えば鏃状のシール部材１３を取り付ける。略台形状により一定の水密効果があるが、このシール部材１３により外部への水の漏出を防止する働きを高める。
【００２０】
壁パネル１は防水パン２の周縁部に立設される。壁パネル１の下端部に形成された嵌合凸部１２が、見切り２３の上面に形成された凹溝部２３ａに嵌め込まれる。図６（ａ）は洗い場側において壁パネル１が防水パン２（に形成された見切り２３の凹溝部２３ａ）との嵌合状態を示す図であり、別途シール部材を用意しなくても室内から外部に水が漏れ出るおそれはない。なお、図６（ｂ）は、浴槽側における防水パン２（の周縁部に形成された凹溝部２１ａ）と壁パネル１との嵌合状態を示す図である。
【００２１】
図３（ａ）に示すように、見切り２３が、防水パン２の洗い場２２側の周縁部に設けられている。ただし、ユニットバスＵＢに出入りするためのドアパネルのドア枠（図示せず）の下辺部には見切り２３を設置しない。逆に言えば、見切り２３を自由に配することができるので、ドア位置の制約がない。
【００２２】
次に、壁パネル１を支持する支柱部３の構造を説明する。
図７は、図２の一点鎖線で囲んだ部分の水平断面図である。ユニットバスＵＢの隣り合った壁を構成する壁パネル１Ａと１Ｂの側端部１４Ａ，１４Ｂはそれぞれ支柱部３に支持されている。この支柱部３は支柱本体３１と、壁パネル固定部材３２と、シール部材３３とから構成される。
支柱部３を構成する各部材は、いずれも長尺な部材であって、上下長さが架台Ａの上部から天井パネルＢまでの高さと略同じである。図８〜図１０の水平断面図を参照して、各部材の構造を説明する。
【００２３】
支柱本体３１は、図８に示すように、その両端部が互いに向かい合うように内側に向かって略４５度に折り曲げられ、折り曲げられた両端部は室内側に向けて開口する開口部３１１を上下方向の全長に渡って形成している。この開口部３１１を形成している開口端部３１２の内側はのこぎり刃状の被係止部３１２ａを形成しており、壁パネル固定部材３２に設けた係止部と噛み合って、支柱本体３１に壁パネル固定部材３２を固定させる。
支柱本体３１の基部３１３の内側には平行な面３１４を突設させ、この２つの溝部形成面３１４によって溝部３１５を形成する。この溝部３１５は室内側からシール部材３３を圧入するためのものである。溝部３１５を形成する面３１４の内側表面３１４ａはのこぎり刃状に形成されているが、これは溝部３１５からシール部材３３が抜け出さないようにするためである。
【００２４】
壁パネル固定部材３２は、図９に示すように、水平断面が扁平な略クランク状であり、２つの平板３２１，３２２が段差部３２３を介して連続している。
壁パネル固定部材３２の平板３２１の一方の表面にはのこぎり刃状の係止部３２１ａが形成され、支柱本体３１の被係止部３１２ａと係合する。他方の平板３２２にはネジ孔３２４が貫通され、端部には立上り片３２５が形成されている。
なお、係止部３２１ａを有する平板３２１は、請求項１にいう「係止部面」に相当する。
【００２５】
シール部材３３は、図１０に示すように、支柱本体３１の溝部３１５に圧入する挿入部３３１と隣接する壁パネル１の側端部１４とそれぞれ当接するパネル当接部３３２とからなり、挿入部３３１と１対のパネル当接部３３２とが水平断面略Ｙ字状を形成する。挿入部３３１の表面３３１ａはのこぎり刃状を呈している。
【００２６】
次に、支柱部３に壁パネル１Ａを取り付ける手順を説明する。
まず、壁パネル固定部材３２の平坦面３２２に壁パネル１Ａをネジ３４で固着させる。
壁パネル固定部材３２の他方の平坦面３２１を、支柱本体３１の開口部３１１内に挿入する。段差部３２３に支柱本体３１の開口端部の先端３１２ｂが突き当たったところで、支柱本体３１の被係止部３１２ａに、壁パネル固定部材３２の係止部３２１ａを係合させる。被係止部３１２ａと係止部３２１ａのいずれも、のこぎり刃状に形成されているので、ネジや接着剤がなくても支柱本体３１に壁パネル固定部材３２を固定することができる。
支柱本体３１と壁パネル固定部材３２とが係合したとき、壁パネル固定部材３２の他方の平坦面３２２と、支柱本体３１の開口端部３１２の外側の面３１２ｃとが面一となるように寸法設定されているので、壁パネル１Ａの側端部１４Ａは支柱本体３１の開口端部３１２にも当接する。
以上の手順で壁パネル１Ａは支柱部３に固着された。隣接するもう一方の壁パネル１Ｂも同様に支柱部３に固着させる。
【００２７】
隣接する壁パネル１Ａ、１Ｂ間には隙間が形成されているので支柱部３の全長にわたり防水目的でシール部材３３を室内側から取り付ける。シール部材３３の挿入部３３１を、支柱本体３１の溝部３１５に圧入するが、溝部３１５を形成する面の表面３１４ａがのこぎり刃状であり、挿入部３３１の表面３３１ａものこぎり刃状であるため、溝部３１５から挿入部３３１が抜けにくくなる。シール部材３３のパネル当接部３３２が壁パネル１Ａ、１Ｂの側端部１４Ａ、１４Ｂの近傍を覆うので、壁パネル１Ａ、１Ｂ間の隙間から水が漏れだすのを防止できる。
【００２８】
以上の壁パネル１の取り付け作業は、熟練度の低い作業員でも室内側から容易にできるので作業効率が高まり、工期の短縮に寄与する。
架台Ａから天井パネルＢまでの壁全体に壁パネル１を取り付け、天井に天井パネルＢを載せ、ドア枠にドアパネルを嵌め込むことでユニットバスＵＢは形成される。
【産業上の利用可能性】
【００２９】
内側からの施工が容易であり、水密性にすぐれたユニットバスであって新築用にもリフォーム用にも多くの需要が期待できる。
【符号の説明】
【００３０】
ＵＢ：ユニットバス
Ｆ：建物床
Ａ：架台
Ｂ：天井パネル
Ｃ：浴槽
１：壁パネル
１１：嵌合凹部（上端部）
１２：嵌合凸部（下端部）
１３：シール部材
１４：側端部
２：防水パン
２１：浴槽載置部
２１ａ：凹溝部
２２：洗い場
２３：見切り
２３ａ：凹溝部
３：支柱部
３１：支柱本体
３１１：開口部
３１２：開口端部
３１２ａ：被係止部
３１２ｂ：端部
３１２ｃ：（壁パネルとの）当接面
３１３：基部
３１４：溝部形成面
３１５：溝部
３２：壁パネル固定部材
３２１：平坦面（＝係止部面）
３２１ａ：係止部
３２２：平坦面
３２３：段差部
３２４：ネジ孔
３２５：立上り片
３３：シール部材
３３１：挿入部
３３１ａ：表面
３３２：パネル当接部
３４：ネジ
４：排水孔
【図１】
2015113612.tif 000003
【図２】
2015113612.tif 000004
【図３】
2015113612.tif 000005
【図４】
2015113612.tif 000006
【図５】
2015113612.tif 000007
【図６】
2015113612.tif 000008
【図７】
2015113612.tif 000009
【図８】
2015113612.tif 000010
【図９】
2015113612.tif 000011
【図１０】
2015113612.tif 000012